(57)【要約】【課題】ネットワーク選択の動的な制御を提供すること。【解決手段】ネットワーク選択の動的制御のための手段が提供される。そのような手段は、典型的に、ネットワークリストを受信し、前記ネットワークリストは、少なくとも１つのネットワーク発見エレメントを含むものであり、前記少なくとも１つのネットワーク発見エレメントの各々は、特定のネットワークを表わすもので、前記ネットワークに接続するための少なくとも接続情報、及び前記ネットワークに指定されたカテゴリを含み；少なくとも１つの望ましいカテゴリを含むコントロールシグナリングを受信し；及び前記少なくとも１つの望ましいカテゴリ及び前記ネットワークに指定されたカテゴリに基づいて前記ネットワークを選択する；ことを含む。【選択図】図３
2015523799.tif 000002
【特許請求の範囲】
【請求項１】
ネットワークリストを受信し、前記ネットワークリストは、少なくとも１つのネットワーク発見エレメントを含むものであり、前記少なくとも１つのネットワーク発見エレメントの各々は、特定のネットワークを表わすもので、前記ネットワークに接続するための少なくとも接続情報、及び前記ネットワークに指定されたカテゴリを含み；
少なくとも１つの望ましいカテゴリを含むコントロールシグナリングを受信し；及び
前記少なくとも１つの望ましいカテゴリ及び前記ネットワークに指定されたカテゴリに基づいて前記ネットワークを選択する；
ことを含む方法。
【請求項２】
前記選択に関連して、前記方法は、更に、
前記コントロールシグナリングを受信した際に、前記ネットワークエレメントにより構成されるカテゴリが前記少なくとも１つの望ましいカテゴリに対応する場合には、望ましいネットワークリストに存在しないネットワーク発見エレメントを前記ネットワークリストから前記望ましいネットワークリストに追加し；及び
前記コントロールシグナリングを受信した際に、前記ネットワーク発見エレメントにより構成されるカテゴリが前記少なくとも１つの望ましいカテゴリに対応しない場合には、そのネットワーク発見エレメントを前記望ましいネットワークリストから除去する；
ことを含む、請求項１に記載の方法。
【請求項３】
前記選択に関連して、前記方法は、更に、
前記望ましいネットワークリスト内のネットワーク発見エレメントにより表わされた少なくとも１つのネットワークに接続することを含む、請求項２に記載の方法。
【請求項４】
前記接続情報は、前記ネットワークのネットワーク形式、前記ネットワークを識別するための情報、及び前記ネットワークへのアクセスを可能にするための構成情報、のうちの少なくとも１つを含む、請求項１から３のいずれかに記載の方法。
【請求項５】
前記コントロールシグナリングは、１つの望ましいカテゴリの名前を含み；又は
前記コントロールシグナリングは、名前の一部分、及び／又は１つ以上の望ましいカテゴリを表わすワイルドカードを含み；又は
前記コントロールシグナリングは、ビットストリングを含み、前記ビットストリングの各ビット位置は、ある望ましいカテゴリに指定される；
請求項１から４のいずれかに記載の方法。
【請求項６】
前記方法は、ターミナル、ユーザ装置、移動ステーション又はモデムにおいて又はそれらにより動作でき；及び／又は
前記方法は、３ＧＰＰセルラーシステムの少なくとも１つにおいて動作でき；及び／又は
前記ネットワーク発見エレメントは、アクセスネットワーク発見及び選択機能ＡＮＤＳＦ  ＤｉｓｃｏｖｅｒｙＩｎｆｏｒｍａｔｉｏｎノードであり；及び／又は
前記ネットワークは、Ｗｉ−Ｆｉネットワークであり；及び／又は
前記コントロールシグナリングは、ブロードキャストサービスであり；及び／又は
前記アクセスを可能にする構成情報は、拡張可能な認証プロトコルＥＡＰ方法及び／又は事前共有キーＰＳＫである；
請求項１から５のいずれかに記載の方法。
【請求項７】
ネットワークリストを送信し、前記ネットワークリストは、少なくとも１つのネットワーク発見エレメントを含むものであり、前記少なくとも１つのネットワーク発見エレメントの各々は、特定のネットワークを表わすもので、前記ネットワークに接続するための少なくとも接続情報、及び前記ネットワークに指定されたカテゴリを含み；
少なくとも１つの望ましいカテゴリを決定し；及び
前記少なくとも１つの望ましいカテゴリを含むコントロールシグナリングを送信する；
ことを含む方法。
【請求項８】
前記少なくとも１つの望ましいカテゴリの各々は、使用すべき特定のネットワークを表わす、請求項７に記載の方法。
【請求項９】
前記接続情報は、前記ネットワークのネットワーク形式、前記ネットワークの識別のための情報、及び前記ネットワークへのアクセスを可能にするための構成情報、の少なくとも１つを含む、請求項７又は８に記載の方法。
【請求項１０】
前記コントロールシグナリングは、１つの望ましいカテゴリの名前を含み；又は
前記コントロールシグナリングは、名前の一部分、及び／又は１つ以上の望ましいカテゴリを表わすワイルドカードを含み；
前記コントロールシグナリングは、ビットストリングを含み、前記ビットストリングの各ビット位置は、ある望ましいカテゴリに指定される；
請求項７から９のいずれかに記載の方法。
【請求項１１】
前記方法は、セルラーシステムのネットワークノード或いはアクセスネットワーク発見及び選択機能ＡＮＤＳＦサーバーにおいて又はそれらにより動作でき；及び／又は
前記方法は、３ＧＰＰセルラーシステムの少なくとも１つにおいて動作でき；及び／又は
前記ネットワーク発見エレメントは、アクセスネットワーク発見及び選択機能ＡＮＤＳＦ  ＤｉｓｃｏｖｅｒｙＩｎｆｏｒｍａｔｉｏｎノードであり；及び／又は
前記ネットワークは、Ｗｉ−Ｆｉネットワークであり；及び／又は
前記コントロールシグナリングは、ブロードキャストサービスであり；及び／又は
前記アクセスを可能にする構成情報は、拡張可能な認証プロトコルＥＡＰ方法及び／又は事前共有キーＰＳＫである；
請求項７から１０のいずれかに記載の方法。
【請求項１２】
ネットワークリストを受信するように構成された接続コントローラであって、前記ネットワークリストは、少なくとも１つのネットワーク発見エレメントを含むものであり、前記少なくとも１つのネットワーク発見エレメントの各々は、特定のネットワークを表わすもので、前記ネットワークに接続するための少なくとも接続情報、及び前記ネットワークに指定されたカテゴリを含み、更に、少なくとも１つの望ましいカテゴリを含むコントロールシグナリングを受信するように構成された接続コントローラ；及び
前記少なくとも１つの望ましいカテゴリ及び前記ネットワークに指定されたカテゴリに基づいて前記ネットワークを選択するように構成されたコントロールモジュール；
を備えた装置。
【請求項１３】
前記コントロールモジュールは、更に、
前記コントロールシグナリングを受信した際に、前記ネットワークエレメントにより構成されるカテゴリが前記少なくとも１つの望ましいカテゴリに対応する場合には、望ましいネットワークリストに存在しないネットワーク発見エレメントを前記ネットワークリストから前記望ましいネットワークリストに追加し；及び
前記コントロールシグナリングを受信した際に、前記ネットワーク発見エレメントにより構成されるカテゴリが前記少なくとも１つの望ましいカテゴリに対応しない場合には、そのネットワーク発見エレメントを前記望ましいネットワークリストから除去する；
ように構成される、請求項１２に記載の装置。
【請求項１４】
前記接続コントローラは、更に、
前記望ましいネットワークリスト内のネットワーク発見エレメントにより表わされた少なくとも１つのネットワークに接続するように構成される、請求項１３に記載の装置。
【請求項１５】
前記接続情報は、前記ネットワークのネットワーク形式、前記ネットワークを識別するための情報、及び前記ネットワークへのアクセスを可能にするための構成情報、のうちの少なくとも１つを含む、請求項１２から１４のいずれかに記載の装置。
【請求項１６】
前記コントロールシグナリングは、１つの望ましいカテゴリの名前を含み；又は
前記コントロールシグナリングは、名前の一部分、及び／又は１つ以上の望ましいカテゴリを表わすワイルドカードを含み；又は
前記コントロールシグナリングは、ビットストリングを含み、前記ビットストリングの各ビット位置は、ある望ましいカテゴリに指定される；
請求項１２から１５のいずれかに記載の装置。
【請求項１７】
前記装置は、ターミナル、ユーザ装置、移動ステーション又はモデムとして又はそれらにおいて動作でき；及び／又は
前記装置は、３ＧＰＰセルラーシステムの少なくとも１つにおいて動作でき；及び／又は
前記ネットワーク発見エレメントは、アクセスネットワーク発見及び選択機能ＡＮＤＳＦ  ＤｉｓｃｏｖｅｒｙＩｎｆｏｒｍａｔｉｏｎノードであり；及び／又は
前記ネットワークは、Ｗｉ−Ｆｉネットワークであり；及び／又は
前記コントロールシグナリングは、ブロードキャストサービスであり；及び／又は
前記アクセスを可能にする構成情報は、拡張可能な認証プロトコルＥＡＰ方法及び／又は事前共有キーＰＳＫである；
請求項１２から１６のいずれかに記載の装置。
【請求項１８】
ネットワークリストを送信するように構成された接続コントローラであって、前記ネットワークリストは、少なくとも１つのネットワーク発見エレメントを含むものであり、前記少なくとも１つのネットワーク発見エレメントの各々は、特定のネットワークを表わすもので、前記ネットワークに接続するための少なくとも接続情報、及び前記ネットワークに指定されたカテゴリを含むような接続コントローラ；及び
少なくとも１つの望ましいカテゴリを決定するように構成されたコントロールモジュール；
を備え、前記接続コントローラは、更に、前記少なくとも１つの望ましいカテゴリを含むコントロールシグナリングを送信するように構成された、装置。
【請求項１９】
前記少なくとも１つの望ましいカテゴリの各々は、使用すべき特定のネットワークを表わす、請求項１８に記載の装置。
【請求項２０】
前記接続情報は、前記ネットワークのネットワーク形式、前記ネットワークの識別のための情報、及び前記ネットワークへのアクセスを可能にするための構成情報、の少なくとも１つを含む、請求項１８又は１９に記載の装置。
【請求項２１】
前記コントロールシグナリングは、１つの望ましいカテゴリの名前を含み；又は
前記コントロールシグナリングは、名前の一部分、及び／又は１つ以上の望ましいカテゴリを表わすワイルドカードを含み；又は
前記コントロールシグナリングは、ビットストリングを含み、前記ビットストリングの各ビット位置は、ある望ましいカテゴリに指定される；
請求項１８から２０のいずれかに記載の装置。
【請求項２２】
前記装置は、セルラーシステムのネットワークノード或いはアクセスネットワーク発見及び選択機能ＡＮＤＳＦサーバーとして又はそれらにおいて動作でき；及び／又は
前記装置は、３ＧＰＰセルラーシステムの少なくとも１つにおいて動作でき；及び／又は
前記ネットワーク発見エレメントは、アクセスネットワーク発見及び選択機能ＡＮＤＳＦ  ＤｉｓｃｏｖｅｒｙＩｎｆｏｒｍａｔｉｏｎノードであり；及び／又は
前記ネットワークは、Ｗｉ−Ｆｉネットワークであり；及び／又は
前記コントロールシグナリングは、ブロードキャストサービスであり；及び／又は
前記アクセスを可能にする構成情報は、拡張可能な認証プロトコルＥＡＰ方法及び／又は事前共有キーＰＳＫである；
請求項１８から２１のいずれかに記載の装置。
【請求項２３】
プログラムがコンピュータで実行されるときに、請求項１から６、７から１１のいずれか１項に記載の方法をそのコンピュータで実施させるように構成されたコンピュータ実行可能なコンピュータプログラムコードを含むコンピュータプログラム製品。
【請求項２４】
前記コンピュータプログラム製品は、コンピュータ実行可能なコンピュータプログラムコードが記憶されるコンピュータ読み取り可能な媒体を含み、及び／又は前記プログラムは、プロセッサの内部メモリに直接ロードすることができる、請求項２３に記載のコンピュータプログラム製品。
【発明の詳細な説明】
【技術分野】
【０００１】
本発明は、ネットワーク選択の動的制御に関する。より詳細には、本発明は、典型的に、ネットワーク選択の動的制御を実現する手段（方法、装置及びコンピュータプログラム製品を含む）に関する。
【０００２】
本発明は、一般的に、ネットワークに接続するターミナルによるネットワーク選択の、ネットワーク側からの動的制御に関する。
【背景技術】
【０００３】
長期進化（ＬＴＥ）又はＬＴＥ−アドバンストネットワークのようなネットワーク展開においては、メイン無線リンクから、例えば、Ｗｉ−Ｆｉネットワークへのトラフィックの効率的なオフローディング（Ｗｉ−Ｆｉオフローディング）を可能にするために、オペレータは、ターミナル（例えば、ユーザ装置（ＵＥ））のＷｉ−Ｆｉ使用をある程度制御できることを好む。現在の全ての主要スマートホンプラットホーム（ｉＯＳ、アンドロイド及びウインドウズ電話）は、検出されたＷｉ−Ｆｉネットワークを装置が知っている（即ち、ＵＥがそのＷｉ−Ｆｉネットワークに接続できるようにユーザ又はプロビジョニングサーバーがある程度のＷｉ−Ｆｉネットワーク細部を構成する）ときは、ＵＥがそのＷｉ−Ｆｉに自動的に接続するように機能する。
【０００４】
そのようなシナリオでは、ＵＥによりどのＷｉ−Ｆｉネットワークが使用されるかは、ＵＥがどのＷｉ−Ｆｉネットワークを知っているかに影響を及ぼすことで、オペレータ（ネットワーク）による影響を受けるだけである。
【０００５】
オペレータ／ネットワークの前記要件を取り扱うもので、非常に小さな規模でしか展開されない独占的解決策に加えて、第三世代パートナーシッププロジェクト（３ＧＰＰ）アクセスネットワーク発見及び選択ファンクション（ＡＮＤＳＦ）は、前記シナリオを取り扱う標準的機能を提供する。即ち、ＡＮＤＳＦサーバー及びＵＥクライアント機能が定義される。ＡＮＤＳＦは、サーバー（即ち、ＡＮＤＳＦサーバー）とクライアント（即ち、ＵＥ）との間のＡＮＤＳＦ情報交換のためにオープンモバイルアリアンス（ＯＭＡ）装置管理（ＤＭ）フレームワークに依存する。
【０００６】
３ＧＰＰの仕様によれば、ＡＮＤＳＦは、システム間移動ポリシー（ＩＳＭＰ）、発見情報、及びシステム間ルーティングポリシー（ＩＳＲＰ）を提供し、これらについて以下に述べる。
【０００７】
ＩＳＭＰは、Ｗｉ−Ｆｉネットワークを互いに且つ３ＧＰＰネットワークに対してプライオリティ決めするのに使用される。ＩＳＭＰは、ＵＥが３ＧＰＰ及びＷｉ−Ｆｉの同時無線使用をサポートしないときに使用される。プライオリティ決めされたＩＳＭＰの一例は、サービスセット識別子（ＳＳＩＤ）＝オペレータ＿Ａが最も高いプライオリティを有するＷｉ−Ｆｉで、それに続いて、３ＧＰＰ無線アクセスが最も低いプライオリティを有するＷｉ−Ｆｉを利用できる。このポリシーに従い、ＵＥは、利用可能なネットワークアクセスのうち、このポリシーによる最も高いプライオリティを有するネットワークアクセスに接続する。ＩＳＭＰは、３ＧＰＰリリース８に紹介されている。
【０００８】
発見情報は、あるＷｉ−Ｆｉネットワークを利用できる場所をＵＥに知らせるのに使用される。各Ｗｉ−Ｆｉネットワークは、装置がＷｉ−Ｆｉスキャニングを最適化できるように、例えば、３ＧＰＰ識別子（位置エリアコード（ＬＡＣ）、追跡エリアコード（ＴＡＣ）及び／又はセル識別子（ＩＤ）、等）に基づく位置エリア識別子に関連付けられる。又、Ｗｉ−Ｆｉアクセス細部、あるＷｉ−Ｆｉネットワークのための同様に使用される拡張可能な認証プロトコル（ＥＡＰ）方法、及びそれらの各クレデンシャル又は事前シェアキー（ＰＳＫ）を構成することもできる。実際に、発見情報は、Ｗｉ−ＦｉネットワークがＵＥを「知る」ようにするために使用される。即ち、ＵＥは、各発見情報を受け取った後に、識別されたＷｉ−Ｆｉネットワークに接続することができる。
【０００９】
ＩＳＲＰは、特定のアプリケーションに対する無線アクセスをプライオリティ決めするのに使用できる。アプリケーションは、インターネットプロトコル（ＩＰ）の５つのタプル、例えば、ＩＰアドレス、ＩＰプロトコル、及びＩＰプロトコルポート番号で識別される。Ｒｅｌ−１１では、完全に資格付与されたドメインネットワーク（ＦＱＤＮ）、又はオペレーティングシステム（ＯＳ）特有のアプリケーションＩＤで、トラフィックを識別することもできる。ＩＳＲＰでは、装置（即ち、ＵＥ）は、３ＧＰＰ及びＷｉ−Ｆｉの両無線アクセスを同時に使用できると仮定する。プライオリティ決めされるＩＳＲＰの一例は、ＹｏｕＴｕｂｅトラフィック（識別されたアプリケーション）に対して、プライオリティが最も高いＳＳＩＤ＝Ｏｐｅｒａｔｏｒ＿ＡのＷｉ−Ｆｉ、及びそれに続く、プライオリティが最も低い３ＧＰＰ無線アクセスで利用可能なＷｉ−Ｆｉである。このポリシーに従い、ＵＥは、識別されたアプリケーションに対して、利用可能なネットワークアクセスのうちの、ポリシーに基づきプライオリティが最も高いネットワークアクセスである。
【００１０】
単に完全のため、ＡＮＤＳＦマネージメントオブジェクト（ＭＯ）が、ＡＮＤＳＦセッション中にＵＥの位置情報をＡＮＤＳＦサーバーへ伝達するのに使用される。
【００１１】
ＡＮＤＳＦサーバー及びクライアントの実施は、上述したＡＮＤＳＦ機能の組み合わせをサポートすることに注意されたい。
【００１２】
更に、ＡＮＤＳＦは、ＯＭＡ  ＤＭフレームワークに対するその依存性のためにリアルタイム動作にはあまり適していないことに注意されたい。
【００１３】
特に、ＡＮＤＳＦセッションの設定には、何秒もかかる。更に、サーバーとクライアントとの間での実際のＡＮＤＳＦ情報の転送は、更なる遅延を引き起こす。従って、ＡＮＤＳＦの基本的な使用モデルは、ＡＮＤＳＦ情報（ＩＳＭＰ、発見情報、ＩＳＲＰ）がＵＥへプロビジョニングされ、次いで、ＵＥが同じ情報セットをある期間中使用するというものである。そのような期間は、例えば、１週間である。従って、実際のＡＮＤＳＦ情報は、静的であるとみなされ、動的な制御をサポートしない。
【発明の概要】
【発明が解決しようとする課題】
【００１４】
従って、ＵＥがＡＮＤＳＦ発見情報だけをサポートし、ＡＮＤＳＦポリシーを（ＩＳＭＰもＩＳＲＰも）サポートしない場合に問題が生じる。そのような場合には、３ＧＰＰオペレータは、どのＷｉ−ＦｉネットワークがＵＥにより知られているかに影響することにより、即ち発見情報により、ＵＥのＷｉ−Ｆｉネットワーク選択に影響を及ぼす。ＡＮＤＳＦ情報の静的特性のため、オペレータは、ＵＥがＷｉ−Ｆｉネットワークを選択できる適当な時間に（即ち、ほぼリアルタイムで）影響を及ぼすためのツールがほとんどない。そのようなツール（一種の動的ＡＮＤＳＦ）は、例えば、負荷状態の変化に対して適度な時間に反応する必要がある。
【００１５】
従って、ネットワーク選択の動的な制御を提供することが必要である。
【課題を解決するための手段】
【００１６】
本発明の種々の規範的実施形態は、上述した課題及び／又は問題及び欠点の少なくとも一部分に対処することを目的とする。
【００１７】
本発明の規範的な実施形態の種々の態様は、特許請求の範囲に指摘される。
【００１８】
本発明の規範的な態様によれば、ネットワークリストを受信し、前記ネットワークリストは、少なくとも１つのネットワーク発見エレメントを含むものであり、前記少なくとも１つのネットワーク発見エレメントの各々は、特定のネットワークを表わすもので、前記ネットワークに接続するための少なくとも接続情報、及び前記ネットワークに指定されたカテゴリを含み；少なくとも１つの望ましいカテゴリを含むコントロールシグナリングを受信し；及び前記少なくとも１つの望ましいカテゴリ及び前記ネットワークに指定されたカテゴリに基づいて前記ネットワークを選択する；ことを含む方法が提供される。
【００１９】
本発明の規範的な態様によれば、ネットワークリストを送信し、前記ネットワークリストは、少なくとも１つのネットワーク発見エレメントを含むものであり、前記少なくとも１つのネットワーク発見エレメントの各々は、特定のネットワークを表わすもので、前記ネットワークに接続するための少なくとも接続情報、及び前記ネットワークに指定されたカテゴリを含み；少なくとも１つの望ましいカテゴリを決定し；及び前記少なくとも１つの望ましいカテゴリを含むコントロールシグナリングを送信する；ことを含む方法が提供される。
【００２０】
本発明の規範的な態様によれば、ネットワークリストを受信するように構成された接続コントローラであって、前記ネットワークリストは、少なくとも１つのネットワーク発見エレメントを含むものであり、前記少なくとも１つのネットワーク発見エレメントの各々は、特定のネットワークを表わすもので、前記ネットワークに接続するための少なくとも接続情報、及び前記ネットワークに指定されたカテゴリを含み、更に、少なくとも１つの望ましいカテゴリを含むコントロールシグナリングを受信するように構成された接続コントローラ；及び前記少なくとも１つの望ましいカテゴリ及び前記ネットワークに指定されたカテゴリに基づいて前記ネットワークを選択するように構成されたコントロールモジュール；を備えた装置が提供される。
【００２１】
本発明の規範的な態様によれば、ネットワークリストを送信するように構成された接続コントローラであって、前記ネットワークリストは、少なくとも１つのネットワーク発見エレメントを含むものであり、前記少なくとも１つのネットワーク発見エレメントの各々は、特定のネットワークを表わすもので、前記ネットワークに接続するための少なくとも接続情報、及び前記ネットワークに指定されたカテゴリを含むような接続コントローラ；及び少なくとも１つの望ましいカテゴリを決定するように構成されたコントロールモジュール；を備え、前記接続コントローラは、更に、前記少なくとも１つの望ましいカテゴリを含むコントロールシグナリングを送信するように構成されたものである、装置が提供される。
【００２２】
本発明の規範的態様によれば、プログラムがコンピュータ（例えば、本発明の前記装置関連の規範的態様のいずれか１つに基づく装置のコンピュータ）で実行されるときに、本発明の前記方法関連の規範的態様のいずれか１つに基づく方法をそのコンピュータで実施させるように構成されたコンピュータ実行可能なコンピュータプログラムコードを含むコンピュータプログラム製品が提供される。
【００２３】
そのようなコンピュータプログラム製品は、コンピュータ実行可能なコンピュータプログラムコードが記憶される（有形の）コンピュータ読み取り可能な（ストレージ）媒体、等を含み（又は実施され）、及び／又はプログラムは、コンピュータの内部メモリ又はそのプロセッサに直接ロードすることができる。
【００２４】
前記態様のいずれの１つも、ネットワークに接続されるターミナルによりネットワーク選択の効率的な動的制御を３ＧＰＰネットワーク側（オペレータ）から行うことができる。即ち、どのネットワークがＵＥにより「知られる」かは、例えば、変化する負荷状態に対して適度な時間内に反応できるようにオペレータにより動的に影響を受ける。更に、前記態様の中で、現在のスマートホンにおいて実施されるＷｉ−Ｆｉネットワーク選択のロジックを妨げるものはなく、完全に上位互換性である。特に、それをサポートしない装置は、発見情報を、ＡＮＤＳＦ仕様で現在定義されたものとして記憶し使用するだけである。
【００２５】
本発明の規範的な実施形態によれば、ネットワーク選択の動的な制御が提供される。より詳細には、本発明の規範的な実施形態によれば、ネットワーク選択の動的な制御を実現するための手段及びメカニズムが提供される。
【００２６】
従って、ネットワーク選択の動的な制御を可能にし／実現する方法、装置及びコンピュータプログラム製品により改善が達成される。
【００２７】
以下、添付図面を参照して、非限定例により、本発明を詳細に説明する。
【図面の簡単な説明】
【００２８】
【図１】本発明の規範的な実施形態による装置を示すブロック図である。
【図２】本発明の規範的な実施形態による装置を示すブロック図である。
【図３】本発明の規範的な実施形態による手順の概略図である。
【図４】本発明の規範的な実施形態による手順の概略図である。
【図５】本発明の規範的な実施形態による発見情報の拡張を示す概略図である。
【図６】本発明の規範的な実施形態による別の装置を示すブロック図である。
【発明を実施するための形態】
【００２９】
本発明は、本発明の現在考えられる実施形態及び特定の非限定例を参照して以下に説明する。当業者であれば、本発明は、これらの例に限定されず、より広く適用できることが明らかであろう。
【００３０】
本発明及びその実施形態の以下の説明は、主として、ある規範的ネットワーク構成及び展開に対し非限定例として使用される仕様を参照することに注意されたい。即ち、本発明及びその実施形態は、主として、ある規範的ネットワーク構成及び展開に対して非限定例として使用される３ＧＰＰ仕様に関して説明される。より詳細には、ＬＴＥ及びＬＴＥ−アドバンストネットワーク展開は、そのように説明される規範的な実施形態の適用性について非限定例として使用される。従って、ここに述べる規範的実施形態の説明は、特に、それに直接関連した用語を参照する。そのような用語は、ここに述べる非限定例の状況においてのみ使用され、当然、本発明を何ら限定するものではない。むしろ、他の通信又は通信関係システム展開、等も、ここに述べる特徴に適合する限り使用される。
【００３１】
より詳細には、本発明及びその実施形態は、ターミナルが３ＧＰＰ無線アクセスに加えてＷｉ−Ｆｉ無線アクセスにも接続できる（同時に又は排他的に）いかなるネットワークコンパウンドにも適用することができる。
【００３２】
本発明の種々の実施形態及び具現化並びにその態様又は実施形態は、多数の変形例及び／又は代替物を使用して以下に説明される。一般的に、幾つかのニーズ及び制約により、ここに述べる全ての変形例及び／又は代替物は、単独で設けられてもよいし又は考えられる任意の組み合わせで設けられてもよい（種々の変形例及び／又は代替物の個々の特徴の組み合わせも含めて）ことに注意されたい。
【００３３】
一般的に述べると、本発明の規範的実施形態によれば、ネットワーク選択の動的制御（を可能にする／実現する）のための手段及びメカニズムが提供される。
【００３４】
ネットワーク選択のそのような動的な制御を可能にするためには、次の原理を拡張しなければならない。即ち、ＵＥがあるＷｉ−Ｆｉネットワークを使用することをオペレータが希望する場合は、そのＷｉ−ＦｉネットワークをＵＥに知らせねばならない。更に、あるＷｉ−ＦｉをＵＥがそれ以上使用すべきでない場合には、そのＷｉ−Ｆｉネットワークを、ＵＥによって知られることから停止しなければならない。即ち、そのＷｉ−Ｆｉネットワークを、ＵＥ内部の「知っているＷｉ−Ｆｉネットワーク」データベースから除去しなければならない。
【００３５】
そのような拡張を達成するために、本発明の規範的な実施形態によれば、発見情報しかサポートしない装置に対してもＡＮＤＳＦ使用が動的なものとされる。そのとき、本発明の規範的な実施形態によれば、ＡＮＤＳＦにおける発見情報の使用が拡張される。
【００３６】
図１は、本発明の規範的な実施形態による装置を示すブロック図である。
【００３７】
図１に示すように、本発明の規範的な実施形態によれば、この装置は、接続コントローラ１１及びコントロールモジュール１２を含むターミナル１０である。接続コントローラ１１は、ネットワークリストを受信し、前記ネットワークリストは、少なくとも１つのネットワーク発見エレメントを含むものであり、前記少なくとも１つのネットワーク発見エレメントの各々は、特定のネットワークを表わすもので、前記ネットワークに接続するための少なくとも接続情報、及び前記ネットワークに指定されたカテゴリを含む。換言すれば、ＵＥには、３ＧＰＰオペレータ（ホーム公衆地上移動ネットワーク(ＨＰＬＭＮ)又は訪問先公衆地上移動ネットワーク(ＶＰＬＭＮ)）により加入者に対して構成される全ての発見情報(ＤｉｓｃｏｖｅｒｙＩｎｆｏｒｍａｔｉｏｎ)ノードが設けられる。
【００３８】
更に、接続コントローラ１１は、少なくとも１つの望ましいカテゴリを含むコントロールシグナリングを受信する。換言すれば、ＤｉｓｃｏｖｅｒｙＩｎｆｏｒｍａｔｉｏｎのどの部分を考慮すべきか即ち適用すべきかがＵＥに指示される。そのような指示は、アウト・オブ・バンドメカニズムを使用して遂行され（ＡＮＤＳＦの観点から）、即ち実際のＡＮＤＳＦ情報を与えるチャンネルとは異なるチャンネルにおいて遂行され、そして「カテゴリ」によって行われる。カテゴリそれ自体は、加入者にとって意味をもたなくてもよい。サービスプロバイダーは、ＵＥに対してカテゴリ（１つ又は複数）を識別できねばならず、そしてＵＥは、次いで、その又はそれらのカテゴリを選択しなければならない。そのようなアウト・オブ・バンドメカニズムは、セルブロードキャストサービス又はシステム情報ブロードキャスト（又はおそらくマルチキャストサービス）のようなブロードキャストサービスであるのが好ましい。ＵＥがサーバーから全てのＤｉｓｃｏｖｅｒｙＩｎｆｏｒｍａｔｉｏｎノードをダウンロードした後に、即ちＵＥがネットワークリストを受信した後に、ＵＥは、少なくとも１つの望ましいカテゴリを含むコントロールシグナリングを受信するために、定義されたアウト・オブ・バンドメカニズム、例えば、セルブロードキャストサービスを聴取する。
【００３９】
コントロールモジュール１２は、前記少なくとも１つの望ましいカテゴリ及び前記ネットワークに指定されたカテゴリに基づいて前記ネットワークを選択する。
【００４０】
本発明の更に別の規範的な実施形態によれば、コントロールモジュール１２は、前記コントロールシグナリングを受信した際に、前記ネットワークエレメントにより構成されるカテゴリが前記少なくとも１つの望ましいカテゴリに対応する場合には、望ましいネットワークリストに存在しないネットワーク発見エレメントを前記ネットワークリストから前記望ましいネットワークリストに追加し、そして更に、前記コントロールシグナリングを受信した際に、ネットワーク発見エレメントにより構成されるカテゴリが前記少なくとも１つの望ましいカテゴリに対応しない場合には、そのネットワーク発見エレメントを前記ネットワークリストから前記望ましいネットワークリストから除去する。
【００４１】
換言すれば、アウト・オブ・バンドメカニズムで識別された新たな「カテゴリ」又は１組のカテゴリが存在することにＵＥが気付くと、ＵＥは、次のステップを遂行する。
１．ＵＥは、新たに気付いた「カテゴリ」又は新たに気付いた１組のカテゴリのうちのカテゴリでタグ付けされた、早期にプロビジョニングされたＡＮＤＳＦ  ＭＯ  ＤｉｓｃｏｖｅｒｙＩｎｆｏｒｍａｔｉｏｎノードのコンテンツをそのメモリから読み取り、そして識別されたＷｉ−Ｆｉネットワークに関する対応情報を、既知のＷｉ−Ｆｉネットワークの内部データベースに追加し（ここでは、ＵＥのメモリに記憶されたＡＮＤＳＦ  ＭＯと、既知のＷｉ−ＦｉネットワークのＵＥ内部データベースが、個別の内部データベースであると仮定し）；及び
２．ＵＥは、既知のＷｉ−Ｆｉネットワークのその内部データベースからアウト・オブ・バンドメカニズムを経て丁度受信した他の「カテゴリ」でタグ付けされたＷｉ−Ｆｉネットワークを除去する。
【００４２】
本発明の更に別の規範的な実施形態によれば、接続コントローラ１１は、前記望ましいネットワークリストにおけるネットワーク発見エレメントで表わされた少なくとも１つのネットワークに接続する。
【００４３】
本発明の規範的実施形態によれば、接続情報は、前記ネットワークのネットワーク形式、前記ネットワークの識別のための情報、及び前記ネットワークへのアクセスを可能にするための任意構成情報、の少なくとも１つを含むことに注意されたい。
【００４４】
本発明の規範的実施形態によれば、コントロールシグナリングは、１つの望ましいカテゴリの名前を含むか、或いはコントロールシグナリングは、１つ以上の望ましいカテゴリを表わす名前及び／又はワイルドカードの一部分を含むか、或いはコントロールシグナリングは、ビットストリングを含み、ビットストリングの各ビット位置は、ある望ましいカテゴリに指定されることに注意されたい。
【００４５】
図１に示す装置は、ターミナル、ユーザ装置、移動ステーション又はモデムとして又はそれらにおいて動作し、そして３ＧＰＰセルラーシステム（例えば、２Ｇ、３Ｇ、ＬＴＥ又はＬＴＥ−Ａセルラーシステム）の少なくとも１つにおいて動作する。
【００４６】
更に、ネットワーク発見エレメントは、アクセスネットワーク発見及び選択機能ＡＮＤＳＦ  ＤｉｓｃｏｖｅｒｙＩｎｆｏｒｍａｔｉｏｎノードであり、ネットワークは、Ｗｉ−Ｆｉネットワークであり、コントロールシグナリングは、好ましくは、セルブロードキャストサービス又はシステム情報ブロードキャストのようなブロードキャストサービスであり、そしてアクセスを可能にする構成情報は、拡張可能な認証プロトコルＥＡＰ方法及び／又は事前共有キーＰＳＫである。
【００４７】
図２は、本発明の規範的な実施形態による装置を示すブロック図である。
【００４８】
図２に示すように、本発明の規範的実施形態によれば、この装置は、接続コントローラ２１及びコントロールモジュール２２を備えたネットワークノード２０（例えば、ＡＮＤＳＦサーバー）である。接続コントローラ２１は、ネットワークリストを送信し、そのネットワークリストは、少なくとも１つのネットワーク発見エレメントを含み、その少なくとも１つのネットワーク発見エレメントの各々は、特定のネットワークを表わすもので、少なくとも前記ネットワークに接続するための接続情報及び前記ネットワークに指定されるカテゴリを含む。換言すれば、ＵＥがＡＮＤＳＦサーバーにコンタクトするとき、そのサーバーは、ＵＥに対して構成された全てのＤｉｓｃｏｖｅｒｙＩｎｆｏｒｍａｔｉｏｎノードをＵＥに与える。ＡＮＤＳＦセッション内で、サーバーは、種々の基準、例えば、契約及びＵＥ位置(UE_Location)に基づいて、どんな情報をＵＥに適用できるかチェックする。しかしながら、適用される基準は、サーバー及び／又はＵＥ実施に依存する。従って、ＤｉｓｃｏｖｅｒｙＩｎｆｏｒｍａｔｉｏｎも契約者特有のものである。或いは又、オペレータが地域及びＵＥの位置に基づいてノードの量を制限したい場合には、例えば、１つの都市又は州又はある領域に対して、規定の地域に適用できるノードだけがＵＥに与えられる。
【００４９】
コントロールモジュール２２は、少なくとも１つの望ましいカテゴリを決定する。これは、考えられるどのネットワークにＵＥを接続することが許されるか制御する可能性をオペレータに与える。ここで、その決定は、例えば、変化する負荷状態に基づいた３ＧＰＰネットワークの（オペレータの）判断に対応する。
【００５０】
更に、接続コントローラ２１は、前記少なくとも１つの望ましいカテゴリを含むコントロールシグナリングを送信する。そのような送信は、アウト・オブ・バンドメカニズムにより（ＡＮＤＳＦの観点から）、実際のＡＮＤＳＦ情報を与えるチャンネルとは異なるチャンネルにおいて遂行され、そして「カテゴリ」により実行される。アウト・オブ・バンドメカニズムは、好ましくは、セルブロードキャストサービス又はシステム情報ブロードキャストのようなブロードキャストサービスであり、両方とも３ＧＰＰセルによりブロードキャストされる。
【００５１】
本発明の規範的実施形態によれば、少なくとも１つの望ましいカテゴリの各々は、使用すべき特定のネットワークを表わすことに注意されたい。
【００５２】
更に、本発明の規範的実施形態によれば、接続情報は、ネットワークのネットワーク形式、前記ネットワークの識別のための情報、及び前記ネットワークへのアクセスを可能にするための（任意の）構成情報、の少なくとも１つを含むことに注意されたい。
【００５３】
更に、本発明の規範的実施形態によれば、コントロールシグナリングは、１つの望ましいカテゴリの指示を含む。換言すれば、ＡＮＤＳＦサーバーがＤｉｓｃｏｖｅｒｙＩｎｆｏｒｍａｔｉｏｎを送信するときに、そのサーバーは、それ自身の名前を、ＡＮＤＳＦ  ＭＯに‘Ｘ’とマークされた各ノードへ割り当てる。本発明の規範的実施形態によれば、特定の命名慣習を利用して、ＤｉｓｃｏｖｅｒｙＩｎｆｏｒｍａｔｉｏｎのインスタンス（ＡＮＤＳＦ／ＤｉｓｃｏｖｅｒｙＩｎｆｏｒｍａｔｉｏｎ／＜Ｘ＞ノードのインスタンス）をグループ分けする。即ち、ノードの名前は、「カテゴリ」及びカテゴリ内の独特の名前より成る。「カテゴリ」は、幾つかの予め定義された値、例えば、ＬｏｗＬｏａｄ、ＭｅｄｉｕｍＬｏａｄ、ＨｉｇｈＬｏａｄ、等に合致する必要はない。例えば、サーバーは、ＡＮＤＳＦ／ＤｉｓｃｏｖｅｒｙＩｎｆｏｒｍａｔｉｏｎ／＜Ｘ＞ノードの３つの異なるインスタンスに対して、名前ＡＮＤＳＦ／ＤｉｓｃｏｖｅｒｙＩｎｆｏｒｍａｔｉｏｎ／ＬｏｗＬｏａｄ＿１、ＡＮＤＳＦ／ＤｉｓｃｏｖｅｒｙＩｎｆｏｒｍａｔｉｏｎ／ＬｏｗＬｏａｄ＿２、及びＡＮＤＳＦ／ＤｉｓｃｏｖｅｒｙＩｎｆｏｒｍａｔｉｏｎ／ＭｅｄｉｕｍＬｏａｄ＿１を割り当てることができる。そのような解決策は、必ずしも、ＡＮＤＳＦ  ＭＯ変更を標準化に必要としない。いかなる命名慣習も、ＵＥ及びサーバーの両方がそれを適用する限り、使用することができる。
【００５４】
ＡＮＤＳＦ／ＤｉｓｃｏｖｅｒｙＩｎｆｏｒｍａｔｉｏｎ／＜Ｘ＞ノードの命名に特定の仕方で依存するのではなく、本発明の規範的実施形態によれば、「カテゴリ」は、ＡＮＤＳＦ  ＭＯ構造において識別される。ここで、図５に示すように、新たなリーフをＡＮＤＳＦ  ＭＯに追加しなければならない。図５に示すように、本発明の規範的実施形態によれば、破線の四角形で枠組みされた新たなリーフ「カテゴリ(CATEGORY)」がノード構造体に追加される。この解決策は、３ＧＰＰにおける仕様変更を要求することに注意されたい。特に、ＡＮＤＳＦ  ＭＯ仕様を適用すべきである。
【００５５】
或いは又、本発明の規範的な実施形態によれば、コントロールシグナリングは、名前の一部分、及び／又は１つ以上の望ましいカテゴリを表わすワイルドカードを含む。換言すれば、特定の「カテゴリ」をその名前で識別するのではなく、通常の表現を使用して一度に２つ以上のカテゴリを識別することもできる。特に、文字‘１’で始まる名前をもつ規範的な異なるカテゴリがある場合には、アウト・オブ・バンドメカニズムは、‘１＊’（アスタリスク‘＊’をワイルドカードとして使用する）を、最初の文字が‘１’である全てのカテゴリを識別するカテゴリ識別のための情報として含む。
【００５６】
或いは又、本発明の規範的実施形態によれば、コントロールシグナリングは、ビットストリングを含み、そのビットストリングの各ビット位置は、ある望ましいカテゴリに指定される。即ち、各カテゴリは、ビットストリングにおけるあるビット位置で識別される。従って、コントロールシグナリングは、望ましいカテゴリを指定するためのビットマスクとして働く整数（即ち、別のビットストリング）を含む。そのような指定ビットマスクでは、望ましいカテゴリの１つ又は複数を指定することができる。ビットストリングは、バイナリストリングとして送信されてもよいし、又は対応する１０進、８進又は１６進（等）の値として送信されてもよいことに注意されたい。
【００５７】
換言すれば、各カテゴリは、ビットマスク値に関連付けられる。例えば、第１のカテゴリは、“１＿ＰｒｅｆｅｒｒｅｄＷＬＡＮｓ”であり、そして第２のカテゴリは、“２＿ＳｅｃｏｎｄａｒｙＷＬＡＮｓ”である。従って、ビットマスク値０００００００１（１０進の１）が第１のカテゴリに関連され、そして００００００１０（１０進の２）が第２のカテゴリに関連付けられる。規範的な場合として、オペレータは、例えば、セルが混雑するときにＵＥが接続すべきネットワークのセットを変更することを意図し、そしてオペレータは、全てのＷｉ−Ｆｉネットワーク、即ち第１及び第２のカテゴリの両方を使用することを希望する。ブロードキャストメカニズムは、この場合には、両Ｗｉ−Ｆｉカテゴリを指示するために値００００００１１（１０進の３）のみを送信する。
【００５８】
その変形として、各Ｗｉ−Ｆｉネットワークを１つのカテゴリのみに入れるのではなく、Ｗｉ−Ｆｉネットワークを２つ以上のカテゴリに入れて、２つ以上のカテゴリによって１つのＷｉ−Ｆｉネットワークを選択するようにしてもよい。即ち、ＤｉｓｃｏｖｅｒｙＩｎｆｏｒｍａｔｉｏｎは、１つのＷｉ−Ｆｉネットワークがどんなカテゴリに属するか指示する。例えば、第１のＷｉ−Ｆｉネットワークは、２つのカテゴリに属し、これは、名前“１＿２＿ＰｒｅｆｅｒｒｅｄＷＬＡＮｓ”で識別することができ、そして第２のＷｉ−Ｆｉネットワークは、第２のカテゴリのみに属し、これは、“２＿ＳｅｃｏｎｄａｒｙＷＬＡＮｓ”で識別することができる。この場合には、アウト・オブ・バンドブロードキャストメカニズムは、アクティブなカテゴリ、例えば、“２”を指示する。ＵＥは、次いで、そのカテゴリ“２”に属する全てのＤｉｓｃｏｖｅｒｙＩｎｆｏｒｍａｔｉｏｎノードを適用する。
【００５９】
図２に示した装置は、セルラーシステムのネットワークノードとして又はそこにおいて動作するか、或いはネットワーク発見及び選択機能ＡＮＤＳＦサーバーにアクセスすることができる。図２に示した装置は、３ＧＰＰセルラーシステムの少なくとも１つにおいて動作することができる。
【００６０】
図３は、本発明の規範的実施形態による手順の概略図である。
【００６１】
図３に示すように、本発明の規範的実施形態による手順は、ネットワークリストを受信する動作であって、前記ネットワークリストは、少なくとも１つのネットワーク発見エレメントを含み、前記少なくとも１つのネットワーク発見エレメントの各々は、特定のネットワークを表わすもので、前記ネットワークに接続するための少なくとも接続情報、及び前記ネットワークに指定されたカテゴリを含むものである動作と；少なくとも１つの望ましいカテゴリを含むコントロールシグナリングを受信する動作と；前記少なくとも１つの望ましいカテゴリ及び前記ネットワークに指定されたカテゴリに基づいて前記ネットワークを選択する動作と；を含む。
【００６２】
図３に示す手順の変形例によれば、互いに固有に独立した選択動作の規範的な細部が与えられる。
【００６３】
本発明の規範的実施形態によるそのような規範的選択動作は、前記コントロールシグナリングを受信した際に、前記ネットワークエレメントにより構成されるカテゴリが前記少なくとも１つの望ましいカテゴリに対応する場合には、望ましいネットワークリストに存在しないネットワーク発見エレメントを前記ネットワークリストから前記望ましいネットワークリストに追加する動作と；更に、前記コントロールシグナリングを受信した際に、前記ネットワーク発見エレメントにより構成されるカテゴリが前記少なくとも１つの望ましいカテゴリに対応しない場合には、そのネットワーク発見エレメントを前記ネットワークリストから除去する動作と；を含む。
【００６４】
図３に示す手順の変形例によれば、互いに固有に独立した選択動作の規範的な細部が与えられる。
【００６５】
本発明の規範的実施形態によるそのような規範的選択動作は、前記望ましいネットワークリスト内のネットワーク発見エレメントにより表わされた少なくとも１つのネットワークに接続する動作を含む。
【００６６】
本発明の規範的実施形態によれば、接続情報は、ネットワークのネットワーク形式、前記ネットワークを識別するための情報、及び前記ネットワークへのアクセスを可能にするための構成情報、のうちの少なくとも１つを含む。
【００６７】
本発明の更に別の規範的実施形態によれば、コントロールシグナリングは、１つの望ましいカテゴリの名前を含む。
【００６８】
本発明の更に別の規範的実施形態によれば、コントロールシグナリングは、名前の一部分、及び／又は１つ以上の望ましいカテゴリを表わすワイルドカードを含む。
【００６９】
本発明の更に別の規範的実施形態によれば、コントロールシグナリングは、ビットストリングを含み、前記ビットストリングの各ビット位置は、ある望ましいカテゴリに指定される。
【００７０】
図４は、本発明の規範的実施形態による手順の概略図である。
【００７１】
図４に示すように、本発明の規範的実施形態による手順は、ネットワークリストを送信する動作であって、前記ネットワークリストは、少なくとも１つのネットワーク発見エレメントを含み、前記少なくとも１つのネットワーク発見エレメントの各々は、特定のネットワークを表わすもので、少なくとも前記ネットワークに接続するための接続情報、及び前記ネットワークに指定されたカテゴリを含むような動作と；少なくとも１つの望ましいカテゴリを決定する動作と；前記少なくとも１つの望ましいカテゴリを含むコントロールシグナリングを送信する動作と；を含む。
【００７２】
本発明の更に別の規範的実施形態によれば、少なくとも１つの望ましいカテゴリの各々は、使用すべき特定のネットワークを表わす。
【００７３】
本発明の更に別の規範的実施形態によれば、接続情報は、ネットワークのネットワーク形式、前記ネットワークの識別のための情報、及び前記ネットワークへのアクセスを可能にするための構成情報、の少なくとも１つを含む。
【００７４】
本発明の更に別の規範的実施形態によれば、コントロールシグナリングは、１つの望ましいカテゴリの名前を含む。
【００７５】
本発明の更に別の規範的実施形態によれば、コントロールシグナリングは、名前の一部分、及び／又は１つ以上の望ましいカテゴリを表わすワイルドカードを含む。
【００７６】
本発明の更に別の規範的実施形態によれば、コントロールシグナリングは、ビットストリングを含み、ビットストリングの各ビット位置は、ある望ましいカテゴリに指定される。
【００７７】
本発明の規範的実施形態により提案された前記メカニズムは、３ＧＰＰネットワークに指定されたＵＥがどのネットワークに自動的にアクセスできる（即ち、それを知る）かに動的に影響する機会を３ＧＰＰネットワーク（のオペレータ）に与える。ＡＮＤＳＦポリシー（ＩＳＭＰ又はＩＳＲＰ）とは異なり、ＤｉｓｃｏｖｅｒｙＩｎｆｏｒｍａｔｉｏｎは、どんなネットワークを、例えば、プライオリティ順に使用すべきかを明確に指示しない。むしろ、識別されたネットワークは、装置のみに「知らされる」。そのような解決策は、現在のスマートホン（ｉＯＳ、Ａｎｄｒｏｉｄ、Ｗｉｎｄｏｗｓ電話、等）で実施されるＷｉ−Ｆｉネットワーク選択のロジックを妨げるものではなく、従って、装置のベンダーに対してＡＮＤＳＦ機能を実施するのを容易にする。
【００７８】
更に、ＡＮＤＳＦポリシー（ＩＳＭＰ、ＩＳＲＰ）の実施は、装置製造者からネットワーク／オペレータへのＷｉ−Ｆｉネットワーク選択ロジックを止めることを意味するので、そのような実施は、常に意図されるものではない。本発明の規範的な実施形態によるメカニズムは、Ｗｉ−Ｆｉネットワーク選択の制御に対する装置ベンダーの希望とオペレータの希望との間のバランスを完全にとるものである。即ち、オペレータにとって、望ましいＷｉ−ＦｉネットワークのみがＵＥを「知る」ようにすることで、ある環境においてどのＷｉ−Ｆｉネットワークを使用すべきかに影響する動的なツールを提供できる一方、ＵＥは、Ｗｉ−Ｆｉネットワーク選択に関して最終的な判断を依然保持する。
【００７９】
上述した手順及び機能は、以下に述べるように、各機能的エレメント、プロセッサ、等により実施される。
【００８０】
ネットワークエンティティの以上の規範的説明では、本発明の原理を理解する上で関係のあるユニットだけを、機能的ブロックを使用して説明した。ネットワークエンティティは、各動作に必要な更に別のユニットを含む。しかしながら、それらユニットの説明は、本明細書では省略する。装置の機能的ブロックの配置は、本発明を限定するものではなく、そして１つのブロックにより又はサブブロックへ更に分割することにより機能が遂行されてもよい。
【００８１】
以上の説明において、装置、即ちネットワークエンティティ（又は他の手段）が、ある機能を遂行するように構成されたと述べられるとき、それは、各装置のメモリに記憶されたコンピュータプログラムコードと潜在的に協働する１つの（即ち、少なくとも１つの）プロセッサ又は対応回路が、少なくとも上述した機能をその装置に遂行させるように構成されたと述べる説明と同等であると解釈されるべきである。又、そのような機能は、各機能を遂行するための特別に構成された回路又は手段により同等に実施できると解釈されるべきである（即ち、「構成されたユニット」という表現は、「手段」のような表現と同等であると解釈されるべきである）。
【００８２】
図６において、本発明の規範的実施形態による装置が別に示されている。図６に示すように、本発明の規範的な実施形態によれば、装置（ターミナル）１０’（装置１０に対応する）は、プロセッサ１５と、メモリ１６と、インターフェイス１７とを備え、それらは、バス１８、等により接続される。更に、本発明の規範的実施形態によれば、装置（ネットワークノード）２０’（ＡＮＤＳＦサーバー２０に対応する）は、プロセッサ２５と、メモリ２６と、インターフェイス２７とを備え、それらは、バス２８、等により接続され、そしてそれらの装置は、リンク６０により各々接続される。
【００８３】
プロセッサ１５／２５及び／又はインターフェイス１７／２７は、（ハードウェア又はワイヤレス）リンクを経ての通信を容易にするためにモデム、等も各々備えている。インターフェイス１７／２７は、リンク又は接続された装置と各々（ハードウェア又はワイヤレス）通信するための１つ以上のアンテナ又は通信手段に結合された適当なトランシーバを備えている。インターフェイス１７／２７は、一般的に、少なくとも１つの他の装置、即ちそのインターフェイスと通信するように構成される。
【００８４】
メモリ１６／２６は、各プロセッサにより実行されたときに、各電子デバイス又は装置を本発明の規範的実施形態に基づき動作できるようにするプログラムインストラクション又はコンピュータプログラムコードを含むと仮定された各プログラムを記憶する。
【００８５】
一般的に述べると、各デバイス／装置（及び／又はその一部分）は、各動作を遂行し及び／又は各機能を示すための手段を表わし、及び／又は各デバイス（及び／又はその一部分）は、各動作を遂行し及び／又は各機能を示すための機能を有する。
【００８６】
以下の説明において、プロセッサ（又は他の手段）がある機能を遂行するように構成されたと述べるときには、それは、各装置のメモリに記憶されたコンピュータプログラムコードと潜在的に協働する少なくとも１つのプロセッサが、少なくとも上述した機能をその装置に遂行させるように構成されたと述べる説明と同等であると解釈されるべきである。又、そのような機能は、各機能を遂行するための特別に構成された手段により同等に実施できると解釈されるべきである（即ち、「プロセッサがｘｘｘを［装置に］遂行させるように構成された」という表現は、「ｘｘｘのための手段」のような表現と同等であると解釈される）。
【００８７】
本発明の規範的な実施形態によれば、ターミナル１０を表わす装置は、少なくとも１つのプロセッサ１５と、コンピュータプログラムコードを含む少なくとも１つのメモリ１６と、少なくとも別の装置と通信するように構成された少なくとも１つのインターフェイス１７とを備えている。プロセッサ（即ち、少なくとも１つのメモリ１６及びコンピュータプログラムコードを伴う少なくとも１つのプロセッサ１５）は、ネットワークリストを受信することを行い、前記ネットワークリストは、少なくとも１つのネットワーク発見エレメントを含むものであり、前記少なくとも１つのネットワーク発見エレメントの各々は、特定のネットワークを表わすもので、前記ネットワークに接続するための少なくとも接続情報、及び前記ネットワークに指定されたカテゴリを含み（従って、装置は、受信のための対応する手段を含み）；少なくとも１つの望ましいカテゴリを含むコントロールシグナリングを受信することを行い；及び前記少なくとも１つの望ましいカテゴリ及び前記ネットワークに指定されたカテゴリに基づいて前記ネットワークを選択することを行う（従って、装置は、選択のための対応手段を含む）ように構成される。
【００８８】
本発明の規範的実施形態によれば、ネットワークノード２０を表わす装置は、少なくとも１つのプロセッサ２５と、コンピュータプログラムコードを含む少なくとも１つのメモリ２６と、少なくとも別の装置と通信するように構成された少なくとも１つのインターフェイス２７とを備えている。プロセッサ（即ち、少なくとも１つのメモリ２６及びコンピュータプログラムコードを伴う少なくとも１つのプロセッサ２５）は、ネットワークリストを送信することを行い、前記ネットワークリストは、少なくとも１つのネットワーク発見エレメントを含むものであり、前記少なくとも１つのネットワーク発見エレメントの各々は、特定のネットワークを表わすもので、前記ネットワークに接続するための少なくとも接続情報、及び前記ネットワークに指定されたカテゴリを含み（従って、装置は、送信のための対応する手段を含み）；少なくとも１つの望ましいカテゴリを決定することを行い（従って、装置は、決定のための対応手段を含み）；及び前記少なくとも１つの望ましいカテゴリを含むコントロールシグナリングを送信することを行うように構成される。
【００８９】
個々の装置の動作／機能に関する更なる詳細については、図１から５のいずれかに関する前記説明を参照されたい。
【００９０】
上述した本発明の目的に関して、次のことに注意されたい。
−おそらくソフトウェアコード部分として実施されそして（デバイス、装置及び／又はそのモジュールの例として、又は装置及び／又はそのモジュールを含むエンティティの例として）ネットワークサーバー又はネットワークエンティティにおいてプロセッサを使用して実行される方法ステップは、ソフトウェアコード独立であり、そして方法ステップにより定義される機能が保存される限り、既知の又は将来開発されるプログラミング言語を使用して特定することができる。
【００９１】
−一般的に、いかなる方法ステップも、実施される機能に関して実施形態及びその変形例のアイデアを変更せずにソフトウェアとして又はハードウェアにより実施するのに適したものである。
−上述した装置又はそのモジュール（例えば、上述した実施形態による装置の機能を実行するデバイス）においておそらくハードウェアコンポーネントとして実施される方法ステップ及び／又はデバイス、ユニット又は手段は、ハードウェア独立であり、そして既知の又は将来開発されるハードウェア技術又はそれらのハイブリッド、例えば、ＭＯＳ（金属酸化物半導体）、ＣＭＯＳ（相補的ＭＯＳ）、ＢｉＭＯＳ（バイポーラＭＯＳ）、ＢｉＣＭＯＳ（バイポーラＣＭＯＳ）、ＥＣＬ（エミッタ結合ロジック）、ＴＴＬ（トランジスタ・トランジスタロジック）、等を使用し、又、例えば、ＡＳＩＣ（特定用途向けＩＣ（集積回路））コンポーネント、ＦＰＧＡ（フィールドプログラマブルゲートアレイ）コンポーネント、ＣＰＬＤ（コンプレックスプログラマブルロジックデバイス）コンポーネント、又はＤＳＰ（デジタルシグナルプロセッサ）コンポーネントを使用して、実施することができる。
【００９２】
−装置、ユニット又は手段（例えば、上述したネットワークエンティティ又はネットワークレジスタ、或いはそれらの各ユニット／手段のいずれか１つ）は、個々のデバイス、ユニット又は手段として実施できるが、これは、デバイス、ユニット又は手段の機能が保存される限り、それらがシステム全体にわたり分散形態で実施されることを除外するものではない。
【００９３】
−ユーザ装置及びネットワークエンティティ／ネットワークレジスタのような装置は、半導体チップ、チップセット、或いはそのようなチップ又はチップセットを含む（ハードウェア）モジュールにより表わされるが、これは、装置又はモジュールの機能が、ハードウェアで実施されるのではなく、プロセッサ上で実行／ランするための実行可能なソフトウェアコード部分を含むコンピュータプログラム又はコンピュータプログラム製品のような（ソフトウェア）モジュールのソフトウェアとして実施される可能性を除外するものではない。
−デバイスは、例えば、互いに協働する機能であるか、又は互いに独立であるが同じデバイスハウジング内にある機能であるかに関わらず、装置又は２つ以上の装置のアッセンブリとして考えられる。
【００９４】
一般的に、上述した態様による各機能的ブロック又はエレメントは、各部分のここに述べる機能を遂行するように適用されるだけである場合には、ハードウェア及び／又はソフトウェアの既知の手段によって各々実施できることに注意されたい。ここに述べる方法ステップは、個々の機能的ブロックにおいて又は個々のデバイスによって実現されてもよいし、或いは１つ以上の方法ステップが単一の機能的ブロックにおいて又は単一のデバイスによって実現されてもよい。
【００９５】
一般的に、いかなる方法ステップも、本発明のアイデアを変更することなく、ソフトウェアとして又はハードウェアにより実施するのに適したものである。デバイス及び手段は、個々のデバイスとして実施できるが、これは、デバイスの機能が保存される限り、それらがシステム全体にわたり分散形態で実施されることを除外するものではない。そのような及び同様の原理は、当業者に知られていると考えられる。
【００９６】
ここでの説明の意味において、ソフトウェアとは、コード手段又は部分を含むソフトウェアコード、或いは各機能を遂行するためのコンピュータプログラム又はコンピュータプログラム製品であると共に、各データ構造体又はコード手段／部分を記憶しているコンピュータ読み取り可能な（ストレージ）媒体のような有形媒体において実施されるか、又は潜在的に処理中に信号又はチップにおいて実施されるソフトウェア（或いはコンピュータプログラム又はコンピュータプログラム製品）である。
【００９７】
又、本発明は、方法及び構造上の構成の前記概念が適用できる限り、上述した方法ステップ及び動作の考えられる組み合わせ、並びに上述したノード、装置、モジュール又はエレメントの考えられる組み合わせも網羅する。
【００９８】
以上に鑑み、ネットワーク選択を動的に制御するための手段が提供される。そのような手段は、典型的に、ネットワークリストを受信し、前記ネットワークリストは、少なくとも１つのネットワーク発見エレメントを含むものであり、前記少なくとも１つのネットワーク発見エレメントの各々は、特定のネットワークを表わすもので、前記ネットワークに接続するための少なくとも接続情報、及び前記ネットワークに指定されたカテゴリを含み；少なくとも１つの望ましいカテゴリを含むコントロールシグナリングを受信し；及び前記少なくとも１つの望ましいカテゴリ及び前記ネットワークに指定されたカテゴリに基づいて前記ネットワークを選択する；ことを含む。
【００９９】
添付図面に基づく例を参照して本発明を以上に述べたが、本発明は、それに限定されるものではないことを理解されたい。むしろ、当業者であれば、本発明は、ここに開示する本発明の範囲から逸脱せずに、多数の仕方で変更できることが明らかであろう。
【０１００】
頭字語及び略語のリスト
３ＧＰＰ：第三世代パートナーシッププロジェクト
ＡＮＤＳＦ：アクセスネットワーク発見及び選択機能
ＤＭ：デバイス管理
ＥＡＰ：拡張可能な認証プロトコル
ＦＱＤＮ：完全に資格付与されたドメイン名
ＨＰＬＭＮ：ホーム公衆地上移動ネットワーク
ＩＤ：アイデンティティ
ＩＰ：インターネットプロトコル
ＩＳＭＰ：システム間移動ポリシー
ＩＳＲＰ：システム間ルーティングポリシー
ＬＡＣ：位置エリアコード
ＬＴＥ：長期進化
ＭＯ：管理オブジェクト
ＯＭＡ：オープンモバイルアリアンス
ＯＳ：オペレーティングシステム
ＰＳＫ：事前共有キー
ＳＳＩＤ：サービスセット識別子
ＴＡＣ：追跡エリアコード
ＴＳ：技術的仕様
ＵＥ：ユーザ装置
ＶＰＬＭＮ：訪問先公衆地上移動ネットワーク
【符号の説明】
【０１０１】
１０、１０’：ターミナル
１１：接続コントローラ
１２：コントロールモジュール
１５：プロセッサ
１６：メモリ
１７：インターフェイス
１８：バス
２０、２０’：ネットワークノード
２１：接続コントローラ
２２：コントロールモジュール
２５：プロセッサ
２６：メモリ
２７：インターフェイス
２８：バス
６０：リンク
【図１】
2015523799.tif 000003
【図２】
2015523799.tif 000004
【図３】
2015523799.tif 000005
【図４】
2015523799.tif 000006
【図５】
2015523799.tif 000007
【図６】
2015523799.tif 000008
【手続補正書】
【提出日】平成26年12月12日(2014.12.12)
【手続補正１】
【補正対象書類名】特許請求の範囲
【補正対象項目名】全文
【補正方法】変更
【補正の内容】
【特許請求の範囲】
【請求項１】
ネットワークリストを受信し、前記ネットワークリストは、少なくとも１つのネットワーク発見エレメントを含むものであり、前記少なくとも１つのネットワーク発見エレメントの各々は、特定のネットワークを表わすもので、前記ネットワークに接続するための少なくとも接続情報、及び前記ネットワークに指定されたカテゴリを含み；
少なくとも１つの望ましいカテゴリを含むコントロールシグナリングを受信し；及び
前記少なくとも１つの望ましいカテゴリ及び前記ネットワークに指定されたカテゴリに基づいて前記ネットワークを選択する；
ことを含む方法。
【請求項２】
前記選択に関連して、前記方法は、更に、
前記コントロールシグナリングを受信した際に、前記ネットワークエレメントにより構成されるカテゴリが前記少なくとも１つの望ましいカテゴリに対応する場合には、望ましいネットワークリストに存在しないネットワーク発見エレメントを前記ネットワークリストから前記望ましいネットワークリストに追加し；及び
前記コントロールシグナリングを受信した際に、前記ネットワーク発見エレメントにより構成されるカテゴリが前記少なくとも１つの望ましいカテゴリに対応しない場合には、そのネットワーク発見エレメントを前記望ましいネットワークリストから除去する；
ことを含む、請求項１に記載の方法。
【請求項３】
前記選択に関連して、前記方法は、更に、
前記望ましいネットワークリスト内のネットワーク発見エレメントにより表わされた少なくとも１つのネットワークに接続することを含む、請求項２に記載の方法。
【請求項４】
前記接続情報は、前記ネットワークのネットワーク形式、前記ネットワークを識別するための情報、及び前記ネットワークへのアクセスを可能にするための構成情報、のうちの少なくとも１つを含む、請求項１から３のいずれかに記載の方法。
【請求項５】
前記コントロールシグナリングは、１つの望ましいカテゴリの名前を含み；又は
前記コントロールシグナリングは、名前の一部分、及び／又は１つ以上の望ましいカテゴリを表わすワイルドカードを含み；又は
前記コントロールシグナリングは、ビットストリングを含み、前記ビットストリングの各ビット位置は、ある望ましいカテゴリに指定される；
請求項１から４のいずれかに記載の方法。
【請求項６】
前記方法は、ターミナル、ユーザ装置、移動ステーション又はモデムにおいて又はそれらにより動作でき；及び／又は
前記方法は、３ＧＰＰセルラーシステムの少なくとも１つにおいて動作でき；及び／又は
前記ネットワーク発見エレメントは、アクセスネットワーク発見及び選択機能ＡＮＤＳＦ  ＤｉｓｃｏｖｅｒｙＩｎｆｏｒｍａｔｉｏｎノードであり；及び／又は
前記ネットワークは、Ｗｉ−Ｆｉネットワークであり；及び／又は
前記コントロールシグナリングは、ブロードキャストサービスであり；及び／又は
前記アクセスを可能にする構成情報は、拡張可能な認証プロトコルＥＡＰ方法及び／又は事前共有キーＰＳＫである；
請求項１から５のいずれかに記載の方法。
【請求項７】
ネットワークリストを送信し、前記ネットワークリストは、少なくとも１つのネットワーク発見エレメントを含むものであり、前記少なくとも１つのネットワーク発見エレメントの各々は、特定のネットワークを表わすもので、前記ネットワークに接続するための少なくとも接続情報、及び前記ネットワークに指定されたカテゴリを含み；
少なくとも１つの望ましいカテゴリを決定し；及び
前記少なくとも１つの望ましいカテゴリを含むコントロールシグナリングを送信する；
ことを含む方法。
【請求項８】
前記少なくとも１つの望ましいカテゴリの各々は、使用すべき特定のネットワークを表わす、請求項７に記載の方法。
【請求項９】
前記接続情報は、前記ネットワークのネットワーク形式、前記ネットワークの識別のための情報、及び前記ネットワークへのアクセスを可能にするための構成情報、の少なくとも１つを含む、請求項７又は８に記載の方法。
【請求項１０】
ネットワークリストを受信するように構成された接続コントローラであって、前記ネットワークリストは、少なくとも１つのネットワーク発見エレメントを含むものであり、前記少なくとも１つのネットワーク発見エレメントの各々は、特定のネットワークを表わすもので、前記ネットワークに接続するための少なくとも接続情報、及び前記ネットワークに指定されたカテゴリを含み、更に、少なくとも１つの望ましいカテゴリを含むコントロールシグナリングを受信するように構成された接続コントローラ；及び
前記少なくとも１つの望ましいカテゴリ及び前記ネットワークに指定されたカテゴリに基づいて前記ネットワークを選択するように構成されたコントロールモジュール；
を備えた装置。
【請求項１１】
ネットワークリストを送信するように構成された接続コントローラであって、前記ネットワークリストは、少なくとも１つのネットワーク発見エレメントを含むものであり、前記少なくとも１つのネットワーク発見エレメントの各々は、特定のネットワークを表わすもので、前記ネットワークに接続するための少なくとも接続情報、及び前記ネットワークに指定されたカテゴリを含むような接続コントローラ；及び
少なくとも１つの望ましいカテゴリを決定するように構成されたコントロールモジュール；
を備え、前記接続コントローラは、更に、前記少なくとも１つの望ましいカテゴリを含むコントロールシグナリングを送信するように構成された、装置。
【請求項１２】
前記少なくとも１つの望ましいカテゴリの各々は、使用すべき特定のネットワークを表わす、請求項１１に記載の装置。
【請求項１３】
前記接続情報は、前記ネットワークのネットワーク形式、前記ネットワークの識別のための情報、及び前記ネットワークへのアクセスを可能にするための構成情報、の少なくとも１つを含む、請求項１１又は１２に記載の装置。
【請求項１４】
前記コントロールシグナリングは、１つの望ましいカテゴリの名前を含み；又は
前記コントロールシグナリングは、名前の一部分、及び／又は１つ以上の望ましいカテゴリを表わすワイルドカードを含み；又は
前記コントロールシグナリングは、ビットストリングを含み、前記ビットストリングの各ビット位置は、ある望ましいカテゴリに指定される；
請求項１１から１３のいずれかに記載の装置。
【請求項１５】
前記装置は、セルラーシステムのネットワークノード或いはアクセスネットワーク発見及び選択機能ＡＮＤＳＦサーバーとして又はそれらにおいて動作でき；及び／又は
前記装置は、３ＧＰＰセルラーシステムの少なくとも１つにおいて動作でき；及び／又は
前記ネットワーク発見エレメントは、アクセスネットワーク発見及び選択機能ＡＮＤＳＦ  ＤｉｓｃｏｖｅｒｙＩｎｆｏｒｍａｔｉｏｎノードであり；及び／又は
前記ネットワークは、Ｗｉ−Ｆｉネットワークであり；及び／又は
前記コントロールシグナリングは、ブロードキャストサービスであり；及び／又は
前記アクセスを可能にする構成情報は、拡張可能な認証プロトコルＥＡＰ方法及び／又は事前共有キーＰＳＫである；
請求項１１から１４のいずれかに記載の装置。
【国際調査報告】
2015523799.tif 000009
2015523799.tif 000010
2015523799.tif 000011